(57)【要約】【課題】様々なピアスデザインを楽しむことができるマグネットピアスと、そのマグネットピアスの装着を簡易にするピアス装着装置を提供すること。【解決手段】互いに磁気着可能なキャッチ及びベースを備え、耳たぶを挟んで前記キャッチと前記ベースとの間に働く磁気力によって耳たぶに装着されるマグネットピアスにおいて、前記ベースには磁気着面とは反対側の面に突起が設けられ、前記突起には、装飾部品であるストッパが着脱自在に嵌合するように構成されていることを特徴とする。【選択図】図１
2006006397.tif 000002
【特許請求の範囲】
【請求項１】
互いに磁気着可能なキャッチ及びベースを備え、耳たぶを挟んで前記キャッチと前記ベースとの間に働く磁気力によって耳たぶに装着されるマグネットピアスにおいて、前記ベースには磁気着面とは反対側の面に突起が設けられ、前記突起には、装飾部品であるストッパが着脱自在に嵌合するように構成されていることを特徴とするマグネットピアス。
【請求項２】
前記ベースと前記ストッパとの間で他の装飾部品を挟持するように構成されていることを特徴とする請求項１に記載のマグネットピアス。
【請求項３】
請求項１に記載のマグネットピアスを耳たぶに装着する装置であって、ベース部に対して接近・離反する方向に動作可能となるように該ベース部に取り付けられたハンドル部を有する、片手で操作可能な本体と、前記本体とは別体に構成され前記ベース部の一部が挿入可能なセット台とを備え、前記ベース部には、磁気着面が露出するような状態で前記キャッチを保持可能なキャッチ保持部が設けられ、前記ハンドル部には、前記ストッパが嵌合可能で嵌合した該ストッパを弾性力によって保持可能なチャック部が設けられ、前記セット台には、前記突起が露出するような状態で前記ベースを載置可能なベース載置部が設けられ、前記ベース載置部は、前記セット台に前記ベース部の一部が挿入された際に、前記キャッチ保持部の下方に潜り込むように構成され、前記ハンドル部は、常態ではばね力によって前記ベース部に対して離反した位置を取る一方で、人為的な操作によって前記ばね力に抗して前記ベース部に対して接近する位置を取るように構成され、前記ベース部に対して前記ハンドル部を接近させることによって、前記ベース載置部に載置されている前記ベースの前記突起に、前記チャック部に保持されている前記ストッパを嵌合させるように構成されていることを特徴とするピアス装着装置。
【請求項４】
前記ベース部に前記ハンドル部がヒンジ結合されていることを特徴とする請求項３に記載のピアス装着装置。
【請求項５】
前記ベース載置部には前記ベースが磁気力によって保持可能となっていることを特徴とする請求項４に記載のピアス装着装置。
【請求項６】
前記ハンドル部には、前記チャック部に保持された前記ストッパを前記キャッチ保持部に向けて押し出すための操作子が設けられていることを特徴とする請求項３から５いずれか一に記載のピアス装着装置。
【請求項７】
装着時に耳たぶを挟み込まないように、前記ハンドル部の動作範囲を規制したことを特徴とする請求項３から６いずれか一に記載のピアス装着装置。
【発明の詳細な説明】
【技術分野】
【０００１】
本発明は、マグネットピアス及びピアス装着装置に関するものである。
【背景技術】
【０００２】
マグネットピアスとして、互いに磁気着可能なキャッチ及びベースを備え、キャッチ及びベースの双方に装飾部を設けて、表裏を反転して耳たぶに装着するようにしたものが知られている。（例えば、特許文献１参照）
【特許文献１】実用新案登録第３０８８００８号公報
【発明の開示】
【発明が解決しようとする課題】
【０００３】
このマグネットピアスによれば、表裏を反転すれば、リバーシブルで使用できることが可能となり、実質的に２種類のピアスのデザインを楽しむことができる。しかし、表裏を反転して使用できるだけであり、それ以上のピアスのデザインを楽しむためには、他にピアスを購入せざるを得なかった。
また一方、マグネットピアスの装着は片手でキャッチを、他方の手でベースを持ち、耳たぶを挟んでキャッチとベースとを対峙させなければならず、その装着も困難である。
【０００４】
本発明は、かかる問題点に鑑みてなされたもので、様々なピアスデザインを楽しむことができるマグネットピアスと、そのマグネットピアスの装着を簡易にするピアス装着装置を提供することを目的としている。
【課題を解決するための手段】
【０００５】
請求項１に記載のマグネットピアスは、互いに磁気着可能なキャッチ及びベースを備え、耳たぶを挟んで前記キャッチと前記ベースとの間に働く磁気力によって耳たぶに装着されるマグネットピアスにおいて、前記ベースには磁気着面とは反対側の面に突起が設けられ、前記突起には、装飾部品であるストッパが着脱自在に嵌合するように構成されていることを特徴とする。
【０００６】
請求項２に記載のマグネットピアスは、請求項１に記載のマグネットピアスにおいて、前記ベースと前記ストッパとの間で他の装飾部品を挟持するように構成されていることを特徴とする。
【０００７】
請求項３に記載のピアス装着装置は、請求項１に記載のマグネットピアスを耳たぶに装着する装置であって、ベース部に対して接近・離反する方向に動作可能となるように該ベース部に取り付けられたハンドル部を有する、片手で操作可能な本体と、前記本体とは別体に構成され前記ベース部の一部が挿入可能なセット台とを備え、前記ベース部には、磁気着面が露出するような状態で前記キャッチを保持可能なキャッチ保持部が設けられ、前記ハンドル部には、前記ストッパが嵌合可能で嵌合した該ストッパを弾性力によって保持可能なチャック部が設けられ、前記セット台には、前記突起が露出するような状態で前記ベースを載置可能なベース載置部が設けられ、前記ベース載置部は、前記セット台に前記ベース部の一部が挿入された際に、前記キャッチ保持部の下方に潜り込むように構成され、前記ハンドル部は、常態ではばね力によって前記ベース部に対して離反した位置を取る一方で、人為的な操作によって前記ばね力に抗して前記ベース部に対して接近する位置を取るように構成され、前記ベース部に対して前記ハンドル部を接近させることによって、前記ベース載置部に載置されている前記ベースの前記突起に、前記チャック部に保持されている前記ストッパを嵌合させるように構成されていることを特徴とする。
【０００８】
請求項４に記載のピアス装着装置は、請求項３に記載のピアス装着装置において、前記ベース部に前記ハンドル部がヒンジ結合されていることを特徴とする。
【０００９】
請求項５に記載のピアス装着装置は、請求項４に記載のピアス装着装置において、前記ベース載置部には前記ベースが磁気力によって保持可能となっていることを特徴とする。
【００１０】
請求項６に記載のピアス装着装置は、請求項３から５いずれか一にピアス装置装置において、前記ハンドル部には、前記チャック部に保持された前記ストッパを前記キャッチ保持部に向けて押し出すための操作子が設けられていることを特徴とする。
【００１１】
請求項７に記載のピアス装着装置は、請求項３から６いずれか記載のピアス装着装置において、装着時に耳たぶを挟み込まないように、前記ハンドル部の動作範囲を規制したことを特徴とする。
【発明の効果】
【００１２】
請求項１及び２に記載のマグネットピアスによれば、装飾部品であるストッパはベースに対して着脱可能なので、デザインの異なるストッパに変えることで簡単にピアスのデザインを変更することができる。この場合、ストッパだけを変更すれば足りるので、キャッチやベースを変更する場合よりも安価となる。
【００１３】
また、請求項３から７に記載のピアス装着装置によれば、装置本体によってストッパをベースに簡単に組み付けることができると共に、装置本体を用いてマグネットピアスを耳たぶに簡単に装着することができる。
【発明を実施するための最良の形態】
【００１４】
１．全体構成
図１にはピアスの装着装置が示されている。このピアスの装着装置１は本体２及びセット台３を備える。セット台３は、マグネットピアス４（図８参照）の部品を組み付ける際にだけ使用される。本体２は、マグネットピアス４の部品を組み付ける際だけでなく、マグネットピアス４を耳たぶに装着する際にも使用される。マグネットピアス４の部品としては、図２に示すキャッチ４０、ベース４１、ロングピアス部品４２及びストッパ４３が用意されている。以下、その詳細について説明する。なお、図２において符号５で指示するものはピアス装着装置１とマグネットピアス４の部品とを収納するケースである。
【００１５】
２．細部構成
（１）マグネットピアス
マグネットピアス４は、少なくとも、キャッチ４０、ベース４１及びストッパ４３を備えて構成される。そして、必要に応じてロングピアス部品４２がベース４１に取り付けられる。
ここで、図３（Ａ），（Ｂ）に示すキャッチ４０及びベース４１の対向面にはそれぞれ磁石が組み込まれている。その際、キャッチ４０及びベース４１に組み込まれる磁石は、互いに異なる磁極が向かい合うようにしておくことが必要である。勿論、キャッチ４０及びベース４１の一方に磁石を組み込み、その他方には磁石以外の磁性体を組み込んでもよいが、その場合には磁気力が弱くなることは否めない。
キャッチ４０には、磁気着面とは反対側の面に舌片４０ａが設けられている。この舌片４０ａに孔を設けて、その孔にフックピアスその他の装飾部品を取り付けるようにしてもよい。
ベース４１には、磁気着面とは反対側の面に円柱状又は円錐状の突起４１ａが設けられている。この突起４１ａには、ロングピアス部品４２のリング４２ａが掛けられるようになっている。また、図示はしないが、前記突起４１ａには、孔やスリットが設けられた装飾部品（例えば花冠や星等を象った装飾部品）が取り付けられるようになっている。
ロングピアス部品４２は、図４（Ａ）から（Ｃ）に示すように、チェーン４２ｂの先にハート形その他の飾り４２ｃが取り付けられた構造となっている。この場合の飾り４２ｃはチェーン４２ｂに着脱自在であることが好ましい。
図３（Ｃ）に示すストッパ４３はここではラインストーン（装飾部品）として構成されている。このストッパ４３の裏面には図示はしないが前記突起４１ａと嵌合する穴が設けられている。このストッパ４３は必ずしも装飾部品として構成されていなくてもよい。
【００１６】
（２）本体
本体２はベース部２０とハンドル部２１とを備える。ベース部２０にはハンドル部２１がヒンジ結合している。すなわち、図５に示すように、ベース部２０及びハンドル部２１の基端側には大径の軸筒２０ａ及び２１ａが付設されている。そして、ベース部２０の軸筒２０ａの内側にハンドル部２１の軸筒２１ａが嵌合されている。この嵌合にあたっては、軸筒２０ａの端壁中央に内方に向けて突設した軸２０ｂが軸筒２１ａの仕切り壁中央に設けた軸孔２１ｂに挿通される。
軸筒２０ａの周壁には切欠き２０ｃが形成され、軸筒２０ａと軸筒２１ａとを嵌合した状態では、この切欠き２０ｃからハンドル部２１が延出した構造となっている。この延出したハンドル部２１にカバー２１−１（図１参照）をねじ止めすることによってハンドル部２１が完成する。図５において符号２１−２はカバー２１−１を取り付けるためのねじ孔である。ハンドル部２１は、ベース部２０に対して切欠き２０ｃの範囲内で回動動作することが可能である。
また、図６に示すように、前記軸２０ｂと前記軸筒２１ａの仕切り壁に設けられたピン２１ｃとの間には渦巻きばね２９が掛けられており、ベース部２０に対してハンドル部２１は離反する方向に付勢されている。
なお、軸筒２１ａの端部にはカバー２２が付設される。この取付けは、カバー２２を前記軸２０ｂにねじ止めすることによってなされる。
【００１７】
ベース部２０には円柱状のキャッチ保持部２３が設けられている。このキャッチ保持部２３には、キャッチ４０の舌片４０ａを嵌合させてキャッチ４０を保持するための穴２３ａが形成されている。
【００１８】
ハンドル部２１には円筒状のチャック２４が垂設されている。チャック２４は合成樹脂から構成されている。チャック２４の外周には、母線方向に延びるスリット２４ａが複数形成されている。隣り合う２つのスリット２４ａで挟まれる部分は半径方向に弾性変形可能となっており、嵌合させた前記ストッパ４３を弾性的に保持できるようにされている。また、図１に示すように、ハンドル部２１には前記チャック２４と中心が一致するように押出しボタン２５が設けられている。この押出しボタン２５は、図７に示すように、弦巻ばね２６によって上方に付勢されている。一方、押出しボタン２５に連設したロッド２７の先端部は前記チャック２４内に臨んでいる。そして、ロッド２７の先端は押出しボタン２５がハンドル部２１から離脱しないようにロッド径よりも大径とされている。
【００１９】
（３）セット台
図１に示すセット台３は内部が中空に形成されている。セット台３には、前記ベース部２０の一部を挿入するための開口３０が形成されている。この開口３０は、キャッチ保持部２３にキャッチ４０を保持させた状態でベース部２０の先端部が挿入できるように凸状に形成されている。
また、セット台３の上面にはベース載置部３１が設けられている。このベース載置部３１の下には金属板が設置され、ベース載置部３１に設置されたベース４１を磁気着できるようにされている。ただし、この磁気力はチャック２４の保持力よりも小さくなるように設定されている。
【００２０】
３．使用方法の一例
セット台３のベース載置部３１にベース４１を載置すると共に、ベース４１の突起４１ａにロングピアス部品４２のリング４２ａを掛ける。また、ベース部２０のキャッチ保持部２３にキャッチ４０を保持させると共に、ハンドル部２１のチャック２４に下方からストッパ４３を嵌め込む。次に、ベース部２０の先端部をセット台３の開口３０からその内部に挿入する（図８（Ａ）参照）。すると、セット台３のベース載置部３１の下方にベース部２０のキャッチ保持部２３が潜り込むことになる。
【００２１】
この状態で、ハンドル部２１を人為的に下方に押し下げる。すると、チャック２４がベース載置部３１に接近し、ストッパ４３がベース４１の突起４１ａに嵌合することになる。その後に、ハンドル部２１を上げると、ストッパ４３、ベース４１及びロングピアス部品４２が一体となって引き上げられることになる。
【００２２】
次に、セット台３を本体２から取り外す（図８（Ｂ）参照）。その後に本体２を耳に近付ける。このとき、キャッチ４０はキャッチ保持部２３に保持され、ストッパ４３、ベース４１及びロングピアス部品４２は一体となってチャック２４に保持されているので、本体２から離脱することはない。耳たぶを片手の親指と人差し指で摘み、他方の手で本体２に保持されているキャッチ４０を耳たぶの裏側に当てる（図８（Ｃ）参照）。その状態を維持しつつハンドル部２１を操作し、チャック２４をキャッチ保持部２３を近付ける。このとき、ハンドル部２１の動作が途中で規制されるので、キャッチ４０とベース４１との間で耳たぶを挟み込むことはない。この状態で、押出しボタン２５を押すと、一体化されたストッパ４３、ベース４１及びロングピアス部品４２がチャック２４の弾性力によって弾き出されることになる。次に、ハンドル部２１とベース部２０とを離反させれば、マグネットリング４が耳たぶに装着されることになる（図８（Ｄ）参照）。
【００２３】
以上、本発明の実施形態について説明したが、本発明はかかる実施形態に限定されるものではなく、その要旨を逸脱しない範囲で種々の変形が可能であることは言うまでもない。
【００２４】
例えば、上記実施形態では、本体２とセット台３とでピアス装着装置１を構成したが、ベース４１に装飾部品だけを組み付けるだけであればセット台３は不要である。
【００２５】
また、本体２にベース載置部３１を併せて設け、セット台３をなくすこともできる。例えば、本体２に回転台を設け、その回転台の上にベース載置部３１とキャッチ保持部２３とを設ける。そして、その回転台を回転させることで、ベース載置部３１とキャッチ保持部２３とを切り替えて使用するようにしてもよい。この場合、ベース載置部３１とキャッチ保持部２３とを段違いに設けて装着時に耳たぶを挟み込まないようにすることが好ましい。なお、回転台以外の方式で、ストッパ４３、ベース４１及びロングピアス部品４２が一体となった後にベース載置部３１をキャッチ保持部２３上から待避させる方式（例えばスライド方式）とすることもできる。
【００２６】
また、上記使用方法の一例では、ロングピアス部品４２を使用した例を述べたが、その他の装飾部品をベース４１とストッパ４３との間で挟み込むようにしてもよい。
【図面の簡単な説明】
【００２７】
【図１】本発明に係るピアス装着装置の斜視図である。
【図２】本発明に係るマグネットピアスの構成部品を示す図である。
【図３】本発明に係るマグネットピアスの構成部品を示す図である。
【図４】本発明に係るマグネットピアスの構成部品を示す図である。
【図５】本発明に係るピアス装着装置のヒンジ結合の構成を示す図である。
【図６】本発明に係るピアス装着装置のベース部とハンドル部とを離反させるためのばねの掛け方を示す図である。
【図７】本発明に係るピアス装着装置の押出しボタンの構造を示す図である。
【図８】本発明に係るピアス装着装置の使用の仕方の一例を示す図である。
【符号の説明】
【００２８】
１  ピアス装着装置
２  本体
３  セット台
２０  ベース部
２１  ハンドル部
２３  キャッチ保持部
２４  チャック
３１  ベース載置部
４０  キャッチ
４１  ベース
４１ａ  突起
４３  ストッパ
【図１】
2006006397.tif 000003
【図２】
2006006397.tif 000004
【図３】
2006006397.tif 000005
【図４】
2006006397.tif 000006
【図５】
2006006397.tif 000007
【図６】
2006006397.tif 000008
【図７】
2006006397.tif 000009
【図８】
2006006397.tif 000010